(57)【要約】【課題】  乳児と安心してベッドシェアリングができる乳児用マットを提供する。【解決手段】  乳児用マット１０は、一定の幅を有する主領域１１と、半円形状の頭部領域１２と、足部領域１３とを含む。乳児用マット１０の頭部領域１２には乳児の頭部を保持する突堤部１４が設けられ、首領域の両側の側部には側部突起部２１が設けられる。乳児用マット１０は足部領域１３から頭部領域１２に向けて順にその高さが高くなっている。【選択図】      図１
2005124639.tif 000002
【特許請求の範囲】
【請求項１】
所定の高さを持って延在し、
一定の幅寸法をもつ主領域と、乳児の足側に位置する足部領域と、乳児の頭側に位置し、先端に行くほどその幅寸法が小さくなる形状を有する頭部領域とを備え、
前記足部領域から前記頭部領域に向けて連続的に高さが高くなっている、乳児用マット。
【請求項２】
前記頭部領域には、その縁部に沿って突出して延びる突堤部が設けられる、請求項１に記載の乳児用マット。
【請求項３】
当該マットは通気用開口を有する、請求項１または２に記載の乳児用マット。
【請求項４】
前記頭部領域は半円形状である、請求項１から３のいずれかに記載の乳児用マット。
【請求項５】
前記主領域の両側端部に設けられた側部突起部をさらに含む、請求項１から４のいずれかに記載の乳児用マット。
【請求項６】
前記突堤部と前記側部突起部とは相互に連続している、請求項５に記載の乳児用マット。
【発明の詳細な説明】
【技術分野】
【０００１】
この発明は、乳児用マットに関し、特に、親が乳児に添い寝ができる乳児用マットに関する。
【背景技術】
【０００２】
近年、外国でも親と子とが「川の字」になって一つのベッドで寝る、いわゆるベッドシェアリングが見直されてきている。そのような記事がたとえば、下記非特許文献１に記載されている。
【０００３】
下記文献によれば、最近、母乳で育てる親が増え、スキンシップの大切さが説かれてベッドシェアリングが見直されてきた。
【非特許文献１】「ニューズウイーク  日本版特別編集  新・０歳からの健康」、阪急コミュニケーションズ発行、２００３年７月２９日、ｐ．７。
【発明の開示】
【発明が解決しようとする課題】
【０００４】
近年、上記のように、ベッドシェアリングが見直されてきたが、一方で乳児が親と一緒に寝ると次のような点に注意しなければならない。すなわち、大人用のベッド（マット）は柔らかすぎて乳児が窒息しないように注意する必要がある。乳児が睡眠中にうつぶせにならないように注意する必要がある。また親の寝返りによって乳児が押しつぶされないように注意する必要がある。
【０００５】
この発明は、上記のような問題点に鑑みてなされたもので、乳児と安心してベッドシェアリングができる乳児用マットを提供することを目的とする。
【課題を解決するための手段】
【０００６】
この発明に係る乳児用マットは、所定の高さを持って延在し、一定の幅寸法をもつ主領域と、乳児の足側に位置する足部領域と、乳児の頭側に位置し、先端に行くほどその幅寸法が小さくなる形状を有する頭部領域とを備え、足部領域から前記頭部領域に向けて連続的に高さが高くなっている。
【０００７】
乳児用マットの頭部領域が先端に行くほどその幅寸法が小さくなる形状を有しているため、親は、片手で乳児用マットの頭部領域に手を回して乳児用マットを抱え込み、乳児をあやすことができる。また、所定の高さを有するため、親が寝返り等をうって乳児用マットに当接しても、乳児用マットの段差により、親は違和感を覚え、自分の隣に乳児が寝ていることにすぐに気が付くとともに、足部領域から前記頭部領域に向けて連続的に高さが高くなっているため、乳児の頭部を足部よりも高く保持できるため、乳児がミルクを飲んだ後のゲップを出させやすくなる。
【０００８】
その結果、乳児と安心してベッドシェアリングができる乳児用マットが提供できる。
【０００９】
なお、頭部領域は半円形状、凸状等であってもよい。
【００１０】
好ましくは、頭部領域には、その縁部に沿って突出して延びる突堤部が設けられる。
【００１１】
頭部領域には突堤部が設けられているため、乳児が勝手に寝返りを打って窒息するといったおそれが生じない。
【００１２】
さらに好ましくは、当該マットは通気用開口を有する。
【００１３】
乳児用マットには通気用開口が設けられているため、乳児の体温を適切に保持できる。
【００１４】
さらに好ましくは、主領域の両側端部に設けられた側部突起部をさらに含む。
【００１５】
また、突堤部と側部突起部とは相互に連続していても良い。
【発明を実施するための最良の形態】
【００１６】
以下、この発明の一実施の形態を図面を参照して説明する。図１は、この発明の一実施の形態に係る乳児用マットの平面図（Ａ）および図１（Ａ）におけるＢ−Ｂ矢視図である。図１を参照して、乳児用マット１０は、乳児の胴部が載置される一定の幅寸法を有する主領域１１と、乳児の頭部が載置される頭部領域１２と乳児の足部が載置される足部領域１３とを有し、頭部領域１２はほぼ半円形状をして、足部領域１３は直線状である。
【００１７】
乳児用マット１０は足部領域１３側で低く、頭部領域１２側で高くなるよう連続的に高さが高くなっている。このような構成であれば、乳児の頭部を高く保持できるため、乳児がミルクを飲んだ後のゲップを出させやすくなる。
【００１８】
頭部領域１２には、乳児の頭を側面から保持するために、上部に突出した突堤部１４が設けられている。また、乳児用マット１０には複数の通気用開口１５が設けられている。また、乳児用マット１０は、それが載置される大人用のマットよりも硬い材質で構成されていてもよい。
【００１９】
次に乳児用マット１０の使用方法について説明する。乳児用マット１０は昼間は単独で居間等の母親の近くにおいて使用する。乳児をこの乳児用マット１０に寝かせることによって、母親は家事をしながら乳児の様子を見ることができる。
【００２０】
夜になると、この乳児用マット１０を親の寝室のベッドのマットの中央部に置く。そして両親はこの乳児用マット１０に乳児を寝かせた状態で乳児用マット１０を挟んで寝る。
【００２１】
乳児用マット１０の頭部領域１２が半円形状になっているため、親は片手で乳児用マット１０頭部領域１２に手を回して乳児用マット１０を抱え込み、乳児をあやすことができる。また、乳児用マット１０が所定の高さを有しているため、親はあえて首を折ることなく、楽な姿勢で乳児に顔を近づけることができる。
【００２２】
その後、両親が睡眠に陥り、寝返りを打って乳児用マット１０に当たったとしても、乳児用マット１０は、高い位置に存在するため、親はすぐに乳児が自分の横で寝ていることに気がつく。
【００２３】
また、乳児用マット１０が親のマットよりも硬い材質で構成されていれば、従来のように乳児が柔らかいマット上で窒息することもない。
【００２４】
さらに、乳児の頭部を保持するための突堤部１４が設けられているため、乳児が勝手に寝返りを打って窒息するといったおそれもない。
【００２５】
また、乳児用マット１０には複数の通気用開口１５が設けられているため、乳児の体温を適切に保持できる。
【００２６】
なお、このような効果は、乳児用マット１０を親のマット上で使用する場合に限らず、乳児用マット１０を単独で使用して親が添い寝をする場合にも得られるものである。
【００２７】
以上のように、この乳児用マット１０によれば、専用のベビーベッドを準備することなく、昼夜を問わず、親は乳児とのスキンシップを図ることができる。また、親は、従来の乳児と一緒に寝るときの様々な注意点から解放され、安心して乳児と「川の字」になって寝ることができる。
【００２８】
次に、この発明の他の実施の形態について説明する。図２はこの発明の他の実施の形態に係る乳児用マット２０を示す図である。（Ａ）は平面図であり、（Ｂ）は側面図である。
【００２９】
図２を参照して、この実施の形態においては、乳児用マット２０は、基本的に先の実施の形態と同じであるが、突堤部が無く、その代わりに乳児用マット２０の主領域１１の両側側部に側部突起部２１が設けられている。側部突起部２１の高さは、突堤部１４の高さよりも高い。それ以外の部分は先の実施の形態と同じであるので、その説明は省略する。
【００３０】
ここで側部突起部２１は乳児が乳児用マット２０上で寝たとき、その側部を拘束する。側部突起部２１によって、乳児の側部を拘束するため、乳児は寝返りをうてない。そのため、睡眠中に窒息するという問題は生じない。
【００３１】
次にこの発明のさらに他の実施の形態について説明する。図３はこの発明のさらに他の実施の形態を示す図である。（Ａ）は平面図であり、（Ｂ）は側面図である。
【００３２】
図３を参照して、この実施の形態においては、乳児用マット３０は、頭部領域１２の突堤部１４と主領域１１の両側部の側部突起部２１とをともに有している。それ以外の部分は先の実施の形態と同様であるので、その説明は省略する。
【００３３】
この実施の形態においては、突堤部１４と側部突起部２１とで乳児の頭部と胴部の側部とを保持するため、乳児はより拘束され、寝返り等をすることはなく、より安全に乳児を寝かせることができる。
【００３４】
次に、この発明のさらに他の実施の形態について説明する。図４は、この発明のさらに他の実施の形態を示す図である。（Ａ）は平面図であり、（Ｂ）は側面図である。
【００３５】
図４を参照して、この実施の形態においては、突堤部と側部突起部とが一体化された、突堤部４１が設けられている。この場合、突堤部４１の高さは、先の実施の形態の突堤部１４の高さに保たれている。
【００３６】
なお、突堤部４１の高さは側部突起部２１のように高くしても良いし、頭部領域１２は突堤部１４の高さとし、主領域１１の側部は側部突起部２１の高さとなるように側部のみが高くなるようにしてもよい。
【００３７】
この実施の形態においては、突堤部と側部突起部とが一体化された突堤部４１を設けたため、乳児の体全体を周囲から囲むことができる。その結果、乳児をより安心して寝させることができる乳児用マットが提供できる。
【００３８】
次にこの発明のさらに他の実施の形態について説明する。図５は、この発明のさらに他の実施の形態を示す図である。（Ａ）は平面図であり、（Ｂ）は側面図である。
【００３９】
この実施の形態においては、乳児用マット５０は突堤部も側部突起部も有していない。
【００４０】
このように突堤部も側部突起部も有していなくても、乳児用マット５０が、足部から頭部に向けて高くなるように所定の高さを有していれば、その上で安心して乳児を寝かせることが可能である。しかも、添い寝をしている親が寝返り等をうっても、乳児用マット５０が一定の高さを有するため、その違和感から、乳児が自分の横で寝ていることにすぐに気がつく。
【００４１】
なお、上記実施の形態においては、乳児用マットの頭部領域を半円形状にした場合の例について説明したが、これに限らず、頭部領域が先端に行くほどその幅寸法が小さくなる形状を有し、かつ足部領域１３側で低く、頭部領域１２側で高くなるよう連続的に高さが高くなっていれば良い。そのような形状の例を図６に示す。図６（Ａ）〜（Ｃ）は乳児用マットの取りうる形状を示す平面図である。図６（Ａ）〜（Ｃ）いずれにおいても、上部が頭部領域で、下部が足部領域である。
【００４２】
次に、この乳児用ベッドの応用例について説明する。図７は、この発明に係る乳児用ベッドを応用したソファ７０を示す図である。図７を参照して、乳児用ベッドを応用したソファ７０は、図５または図６に示した形状の乳児用ベッド６０と、乳児用ベッド６０の頭部領域を囲むように設けられた背面６５と両側部６６ａ、６６ｂとを含む。このソファ７０を構成する乳児用マット６０は、図７（Ａ）において点線で示す中央部で裏側（図７（Ａ）で示されている側の反対側）に切込み部が設けられており、その部分で、乳児用マット６０の足部側６０ａが図中矢印で示すように折り畳みが可能である。したがって、足部側６０ａを折りたたむことによって、図７（ｂ）に示すようなソファ７０が得られる。このように、この乳児用マットは、乳児用マット単独で乳児用ベッドとして使用できるだけでなく、乳児用マットを折りたたむことによって、ソファ７０としても使用できる。
【００４３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００４４】
【図１】この発明の一実施の形態に係る乳児用マットを示す図である。
【図２】乳児用マットの他の実施の形態を示す図である。
【図３】乳児用マットのさらに他の実施の形態を示す図である。
【図４】乳児用マットのさらに他の実施の形態を示す図である。
【図５】乳児用マットのさらに他の実施の形態を示す図である。
【図６】乳児用マットのさらに他の実施の形態を示す図である。
【図７】乳児用マットを応用したソファを示す図である。
【符号の説明】
【００４５】
１０、２０、３０、４０、５０、６０  乳児用マット、１１  主領域、１２  頭部領域、１３  足部領域、１４、４１  突堤部、１５  通気用開口、２１  側部突起部、７０  ソファ。
【図１】
2005124639.tif 000003
【図２】
2005124639.tif 000004
【図３】
2005124639.tif 000005
【図４】
2005124639.tif 000006
【図５】
2005124639.tif 000007
【図６】
2005124639.tif 000008
【図７】
2005124639.tif 000009